(57)【要約】【課題】回転時にカム筒にかかる負荷をほぼ一定にする。【解決手段】レンズ鏡筒２５は、前レンズユニット４１、後レンズユニット４２、支持筒４３、カム筒４４を備える。カム筒４４には、前カム孔６１、後カム孔６２が形成されている。各カム孔６１，６２は、第１傾斜部６１ａ，６２ａ、第２傾斜部６１ｂ，６２ｂからなる。第２傾斜部６１ｂ，６２ｂは、光軸方向に対する傾斜角度が第１傾斜部６１ａ，６２ａよりも小さい。コイルバネ６４は、一端が支持筒４３のフランジ部４３ｂに固定され、他端には押圧板６５が取り付けられている。カム筒４４の後端には、各レンズユニット４１，４２の各ズームローラ５１が第１傾斜部６１ａ，６２ａを移動するときに、押圧板６５を後方に移動させてコイルバネ６４を圧縮することで、コイルバネ６４による押圧力を増加させるカム突起４４ａが形成されている。【選択図】図９
2012203197.tif 000002
【特許請求の範囲】
【請求項１】
レンズを保持するレンズ枠と、
前記レンズ枠に設けられたカムフォロアと、
前記カムフォロアが係合するカム孔が形成され、回転により前記レンズ枠を光軸方向に移動するカム筒であって、前記カム孔は、光軸方向に対して傾斜された第１傾斜部と、光軸方向に対する傾斜角度が前記第１傾斜部よりも小さく、回転時に前記第１傾斜部よりも前記レンズ枠を移動させる移動量が大きい第２傾斜部とから構成されるカム筒と、
前記カム筒を回転可能に支持する支持筒と、
前記カムフォロアが前記第１傾斜部を移動するときに前記カム筒に負荷を与える負荷付与手段と、
前記第１傾斜部及び第２傾斜部の傾斜角度に応じて、前記負荷付与手段による負荷量を調整する調整手段と、
を備えることを特徴とするレンズ鏡筒。
【請求項２】
前記負荷付与手段は、前記カム筒を押圧するバネから構成され、
前記調整手段は、前記カム筒に形成され、前記バネの圧縮量を調整して前記バネによる押圧力を調整するカム突起から構成されていることを特徴とする請求項１記載のレンズ鏡筒。
【請求項３】
前記カム突起は、前記カムフォロアが前記第１傾斜部を移動するときには、前記カムフォロアが前記第２傾斜部を移動するときよりも前記バネを圧縮させ、前記バネによる前記カム筒の押圧力を高くすることを特徴とする請求項２記載のレンズ鏡筒。
【請求項４】
前記カム突起が挿入される挿入溝が形成され、前記バネの一端が固定されて前記バネの付勢により前記カム筒を押圧する押圧板を備えることを特徴とする請求項２または３記載のレンズ鏡筒。
【請求項５】
前記負荷付与手段は、前記カム筒と前記支持筒との間に配され、一端が前記カム筒に取り付けられて他端で前記支持筒を押圧することにより前記カム筒を押圧するバネから構成され、
前記調整手段は、前記支持筒に形成され、前記バネの圧縮量を調整して前記バネによる押圧力を調整するカム突起から構成されていることを特徴とする請求項１記載のレンズ鏡筒。
【請求項６】
前記カム突起は、前記カムフォロアが前記第１傾斜部を移動するときには、前記カムフォロアが前記第２傾斜部を移動するときよりも前記バネを圧縮させ、前記バネによる前記支持筒の押圧力を高くすることを特徴とする請求項５記載のレンズ鏡筒。
【請求項７】
前記カム突起が挿入される挿入溝が形成され、前記バネの他端が固定されて前記バネの付勢により前記支持筒を押圧する押圧板を備えることを特徴とする請求項５または６記載のレンズ鏡筒。
【請求項８】
前記カム筒には、回転域を制限する回転制限孔が形成され、
前記支持筒には、前記回転制限孔に係合する係合部材が取り付けられていることを特徴とする請求項１ないし７いずれか１つ記載のレンズ鏡筒。
【請求項９】
前記カム筒は、モータにより回転することを特徴とする請求項１ないし８いずれか１つ記載のレンズ鏡筒。
【発明の詳細な説明】
【技術分野】
【０００１】
本発明は、レンズ鏡筒に関するものである。
【背景技術】
【０００２】
プロジェクタやデジタルカメラなどの様々な光学装置で用いられるレンズ鏡筒は、レンズを光軸方向に移動させるためのカム筒と、このカム筒を回転可能に支持する支持筒とが設けられている。レンズは、リング状のレンズ枠に保持され、このレンズ枠は、カム筒の内部に配されている。カム筒の外周には、レンズ枠を移動させるための長孔状のカム孔が形成され、レンズ枠の外周には、カム孔に係合するローラやシャフト等のカムフォロアが取り付けられている。カム筒を回転させ、カムフォロアをカム孔に沿って移動させると、レンズ枠が光軸方向に移動し、このレンズ枠の移動により、投映画像や撮影画像がズームされる。
【０００３】
カム孔は、光軸方向に対する傾斜角度が大きく、回転時にレンズ枠を移動させる移動量が小さい第１傾斜部と、光軸方向対する傾斜角度が第１傾斜部よりも小さく、回転時にレンズ枠を移動させる移動量が大きい第２傾斜部とから構成されるのが一般的である。このようなカム孔が形成されたカム筒では、カムフォロアが第１傾斜部を移動するときと、第２傾斜部を移動するときとで、カム筒にかかる負荷が異なる。特許文献１記載のレンズ鏡胴およびカメラでは、レンズ枠及びカム孔を複数設け、対面する２個のレンズ枠の各カムフォロアの間にバネを配し、このバネにより２個のカムフォロアをカム孔に押圧している。このバネによる押圧力は、カムフォロアが光軸方向に移動することで変化する。特許文献１では、２個の移動用カム孔の第１傾斜部及び第２傾斜部の角度を、バネの押圧力の増加に応じて減少させることで、カム筒にかかる負荷を一定にしている。
【先行技術文献】
【特許文献】
【０００４】
【特許文献１】特許第３９２０７５４号
【発明の概要】
【発明が解決しようとする課題】
【０００５】
特許文献１では、カムフォロアを押圧するバネはカム筒内部に配されており、カム筒内部の構造が複雑になる。カムフォロアは、レンズ枠をカム筒内部の所定の位置に配した後に、カム筒の外側からカム孔を通してレンズ枠に取り付けられる。レンズ枠を上記所定の位置に配したときには、２個のレンズ枠の間に配されたバネは圧縮された状態となり、バネの押圧によりレンズ枠の位置がズレる。このため、レンズ枠の位置ズレを防止しながらカムフォロアを取り付ける必要があり、作業性が悪い。
【０００６】
本発明は、上記課題を解決するためになされたものであり、簡単な構成で回転時にカム筒にかかる負荷をほぼ一定にすることができるレンズ鏡筒を提供することを目的とする。
【課題を解決するための手段】
【０００７】
上記課題を解決するために、本発明のレンズ鏡筒は、レンズを保持するレンズ枠と、前記レンズ枠に設けられたカムフォロアと、前記カムフォロアが係合するカム孔が形成され、回転により前記レンズ枠を光軸方向に移動するカム筒であって、前記カム孔は、光軸方向に対して傾斜された第１傾斜部と、光軸方向に対する傾斜角度が前記第１傾斜部よりも小さく、回転時に前記第１傾斜部よりも前記レンズ枠を移動させる移動量が大きい第２傾斜部とから構成されるカム筒と、前記カム筒を回転可能に支持する支持筒と、前記カムフォロアが前記第１傾斜部を移動するときに前記カム筒に負荷を与える負荷付与手段と、前記第１傾斜部及び第２傾斜部の傾斜角度に応じて、前記負荷付与手段による負荷量を調整する調整手段と、を備えることを特徴とする。
【０００８】
また、前記負荷付与手段は、前記カム筒を押圧するバネから構成され、前記調整手段は、前記カム筒に形成され、前記バネの圧縮量を調整して前記バネによる押圧力を調整するカム突起から構成されていることが好ましい。なお、前記バネとしては、コイルバネ、板バネ、モールドバネ等が挙げられる。
【０００９】
さらに、前記カム突起は、前記カムフォロアが前記第１傾斜部を移動するときには、前記カムフォロアが前記第２傾斜部を移動するときよりも前記バネを圧縮させ、前記バネによる前記カム筒の押圧力を高くすることが好ましい。
【００１０】
また、前記カム突起が挿入される挿入溝が形成され、前記バネの一端が固定されて前記バネの付勢により前記カム筒を押圧する押圧板を備えることが好ましい。
【００１１】
さらに、前記負荷付与手段は、前記カム筒と前記支持筒との間に配され、一端が前記カム筒に取り付けられて他端で前記支持筒を押圧することにより前記カム筒を押圧するバネから構成され、前記調整手段は、前記支持筒に形成され、前記バネの圧縮量を調整して前記バネによる前記支持筒の押圧力を調整するカム突起から構成されていることが好ましい。
【００１２】
また、前記カム突起は、前記カムフォロアが前記第１傾斜部を移動するときには、前記カムフォロアが前記第２傾斜部を移動するときよりも前記バネを圧縮させ、前記バネによる押圧力を高くすることが好ましい。
【００１３】
さらに、前記カム突起が挿入される挿入溝が形成され、前記バネの他端が固定されて前記バネの付勢により前記支持筒を押圧する押圧板を備えることが好ましい。
【００１４】
また、前記カム筒には、回転域を制限する回転制限孔が形成され、前記支持筒には、前記回転制限孔に係合する係合部材が取り付けられていることが好ましい。
【００１５】
さらに、前記カム筒は、モータにより回転することが好ましい。
【発明の効果】
【００１６】
本発明によれば、カムフォロアがカム孔の第１傾斜部を移動するときにカム筒に負荷を与え、この負荷量を、傾斜角度が異なる第１傾斜部及び第２傾斜部の傾斜角度に応じて調整するから、カムフォロアが第１傾斜部と第２傾斜部とを移動するときにカム筒にかかる負荷をほぼ同じにすることができる。これにより、モータによりカム筒を回転させる場合には、モータにかかる負荷が一定となり、モータの駆動音を一定にすることができる。また、操作者の手動でカム筒を回転させる場合には、カム筒を回転するときの操作者にかかる動作負荷がほぼ一定となるから、操作性を向上することができる。
【図面の簡単な説明】
【００１７】
【図１】プロジェクタを示す斜視図である。
【図２】プロジェクタの概略的な構成を示す説明図である。
【図３】レンズ鏡筒を示す斜視図である。
【図４】支持筒を示す斜視図である。
【図５】カム筒を示す斜視図である。
【図６】前レンズユニットを示す斜視図である。
【図７】ローラ取り付け前のレンズ鏡筒を示す正面断面図である。
【図８】ローラ取り付け後のレンズ鏡筒を示す正面断面図である。
【図９】ズームローラが第１傾斜部に位置し、カム突起によりバネを圧縮させたときのレンズ鏡胴を示す側面図である。
【図１０】ズームローラが第１傾斜部から第２傾斜部に移動し、カム突起によるバネの圧縮が解除されたときのレンズ鏡胴を示す側面図である。
【図１１】ズームローラが第２傾斜部に位置するときのレンズ鏡胴を示す側面図である。
【図１２】支持筒にカム突起を形成した実施形態のズームローラが第１傾斜部に位置し、カム突起によりバネを圧縮させたときのレンズ鏡胴を示す側面図である。
【図１３】図１２に示す実施形態のズームローラが第２傾斜部に位置し、カム突起によるバネの圧縮が解除されたときのレンズ鏡胴を示す側面図である。
【発明を実施するための形態】
【００１８】
図１に示すように、プロジェクタ１０は、使用時にはレンズカバーを開放することにより、ケース１４の前面に前投映レンズ１１が露呈する。ケース１４内の前投映レンズ１１の後方には、後投映レンズ１２が配設されている。前投映レンズ１１の前方には、スクリーン１５（図２参照）が配置され、前投映レンズ１１から画像が投映される。ケース１４の上面には、回動式のズームダイヤル１６が設けられ、このズームダイヤル１６を図１中Ａ方向及びＢ方向操作（回動）することによって、各投映レンズ１１，１２による投映画像（スクリーン１５に投映される画像）のズーム調整が行われる。
【００１９】
図２に示すように、ケース１４の内部には、光源２１、照明光学系２２、全反射プリズム２３、ＤＭＤ２４、投映光学系であるレンズ鏡筒２５、ズーム調整機構２６等が設けられている。光源２１としては、例えば、キセノンランプや水銀ランプなどの白色光源が使用される。光源２１から照射された照明光は、照明光学系２２へ入射する。
【００２０】
照明光学系２２は、カラーホイール３１、ロッドインテグレータ３２、リレーレンズ３３，３４、ミラー３５からなる。カラーホイール３１は、光源２１からの照明光をＢ、Ｇ、Ｒの３色に時分割で分離する。カラーホイール３１は、略円板形状の基板に、Ｂ光のみを透過するＢフィルタ、Ｇ光のみを透過するＧフィルタ、Ｒ光のみを透過するＲフィルタの３色のフィルタを基板の回転中心からほぼ等距離に配置したものである。カラーホイール３１は、高速で回転して、各色のフィルタを照明光路に順次挿入する。これにより、照明光がＢ、Ｇ、Ｒの３色に時分割で色分離され、分離された各色の光が順次ＤＭＤ２４に向けて照射される。
【００２１】
ロッドインテグレータ３２は、例えばガラス製で、内側に反射面が形成されている。カラーホイール３１で分離された光は、ロッドインテグレータ３２を透過する間に反射を繰り返すことによって均斉化される。リレーレンズ３３，３４は、ロッドインテグレータ３２から射出した光束をミラー３５に中継する。ミラー３５は、この光束を全反射プリズム２３へ向けて反射させる。
【００２２】
全反射プリズム２３は、２つの三角プリズムから構成され、それら２つの三角プリズムの間にはエアギャップが設けられて反射面２３ａとなる。ミラー３５から全反射プリズム２３へ入射する入射光は、入射角が臨界角よりも大きいため、反射面２３ａで全反射してＤＭＤ２４へ入射する。他方、ＤＭＤ２４で反射した反射光は、入射角が臨界角よりも小さいため、反射面２３ａを透過する。
【００２３】
ＤＭＤ２４は、周知のように、受光面に画素に対応する多数のミラー素子がマトリックス状に配列されたものである。各ミラー素子は、投映する画像に基づいて、角度を変化させることにより、受光した照明光の反射方向を変化させる。画素を明るく表示させる場合には、ミラー素子をオン位置に変位させて受光した光をオン光としてレンズ鏡筒２５に向けて反射させる。他方、画素を暗く表示する場合には、ミラー素子をオフ位置に変位させて受光した光をオフ光としてレンズ鏡筒２５から外れた方向に向けて反射させる。画像光は、レンズ鏡筒２５に向かうオン光の集合により構成される。
【００２４】
図２〜図９に示すように、レンズ鏡筒２５は、前側から順に配された前レンズユニット４１及び後レンズユニット４２と、支持筒４３と、この支持筒４３の外側に配され、支持筒４３により回転可能に支持されるカム筒４４とを備える。また、カム筒４４は、カバー筒４５（図１参照）により覆われている。
【００２５】
ＤＭＤ２４によって生成された画像光は、レンズ鏡筒２５の各レンズユニット４１，４２によってスクリーン１５に結像され、スクリーン１５上に画像が投映される。
【００２６】
前レンズユニット４１は、前投映レンズ１１と、前投映レンズ１１を保持するレンズ枠４７とを備える。
【００２７】
レンズ枠４７の外周面には、ローラ取付部４７ａが１２０°ピッチで３個形成されている。これら３個のローラ取付部４７ａそれぞれに、取付ピン５２によりズームローラ５１が回転可能に取り付けられている。ローラ取付部４７ａには、ズームローラ５１の端部が挿入される挿入凹部４７ｂが形成されている。
【００２８】
取付ピン５２は、頭部５２ａと、軸部５２ｂと、この軸部５２ｂよりも細径でネジ切りされたネジ部５２ｃとからなる。ネジ部５２ｃは、ローラ取付部４７ａに形成されたネジ孔４７ｃに螺合され、軸部５２ｂは、ズームローラ５１に形成された挿通孔５１ａに挿通され、頭部５２ａは、ズームローラ５１に形成された収納凹部５１ｂに収納されている。
【００２９】
前レンズユニット４１と同様にして、後レンズユニット４２は、後投映レンズ１２とレンズ枠４７とを備え、レンズ枠４７には、３個のズームローラ５１が回転可能に取り付けられている。
【００３０】
支持筒４３の外周面には、各レンズユニット４１，４２の各ズームローラ５１が挿通され、各レンズユニット４１，４２の光軸方向への移動をガイドするように光軸方向に沿って延びる直進ガイド孔４３ａが形成されている。この直進ガイド孔４３ａは、１２０°ピッチで３個形成されている。支持筒４３の後端部には、フランジ部４３ｂが形成されており、このフランジ部４３ｂは、プロジェクタ１０のケース１４に固定されている。また、支持筒４３の外周面には、カム筒４４を回転可能に支持するカム筒支持部（図示せず）が設けられている。
【００３１】
カム筒４４の外周面には、各レンズユニット４１，４２の各ズームローラ５１が挿通され、カム筒４４の回転時に各レンズユニット４１，４２を光軸方向に移動させる長孔状の前カム孔６１、後カム孔６２が形成されている。各カム孔６１，６２は、それぞれ１２０°ピッチで３個ずつ形成されている。
【００３２】
図９〜図１１に示すように、前カム孔６１は、光軸方向に対して傾斜された第１傾斜部６１ａ及び第２傾斜部６１ｂからなる。第２傾斜部６１ｂは、光軸方向に対する傾斜角度が第１傾斜部６１ａよりも小さく、カム筒４４の回転時に第１傾斜部６１ａよりも前レンズユニット４１を移動させる移動量が大きい。同様に、後カム孔６２は、第１傾斜部６２ａ及び第２傾斜部６２ｂからなり、第２傾斜部６２ｂは、光軸方向に対する傾斜角度が第１傾斜部６２ａよりも小さい。
【００３３】
カム筒４４は、コイルバネ６４により押圧されている。コイルバネ６４の一端は、支持筒４３のフランジ部４３ｂに固定され、他端には押圧板６５が取り付けられている。この押圧板６５は、挿入溝６５ａ（図５参照）が形成されており、この挿入溝６５ａにカム筒４４の後端面が挿入されている。この挿入溝６５ａへのカム筒４４後端面の挿入により、押圧板６５の位置ズレが防止される。
【００３４】
カム筒４４の後端には、押圧板６５を後方に移動させて、コイルバネ６４を圧縮することでコイルバネ６４による押圧力を増加させるカム突起４４ａが形成されている。このカム突起４４ａは、図９に示すように、各レンズユニット４１，４２の各ズームローラ５１が第１傾斜部６１ａ，６２ａを移動するときに、挿入溝６５ａに挿入される。図１０及び図１１に示すように、各レンズユニット４１，４２の各ズームローラ５１が第２傾斜部６１ｂ，６２ｂを移動するときには、カム突起４４ａは押圧板６５から離れる。なお、コイルバネ６４、押圧板６５、カム突起４４ａの数は適宜変更可能であり、複数設ける場合には、等間隔で設けることが好ましい。
【００３５】
カム筒４４の後カム孔６２の後方には、カム筒４４の回転域を制限する制限孔６６が、回転方向に沿って形成されている。この制限孔６６には、制限部材６８が係合している。
【００３６】
制限部材６８は、支持筒４３の取付孔４３ｃ（図４参照）に取り付けられている。この制限部材６８は、フランジ部６８ａを有する円筒状に形成され、フランジ部６８ｂが支持筒４３に固着されている。
【００３７】
ズーム調整機構２６は、モータ７１と、このモータ７１の回転をカム筒４４に伝達する複数のギアから構成される伝達機構７２（いずれも図２参照）とを備える。ズーム調整機構２６は、回動式のズームダイヤル１６の回動（操作）に応じてモータ７１を駆動して、伝達機構７２を介してカム筒４４を回転させる。このカム筒４４の回転により、投映画像（スクリーン１５に投映させる画像）のズーム調整が行われる。
【００３８】
次に、上記実施形態の作用について説明する。光源２１から照射された照明光は、カラーホイール３１に入射する。カラーホイール３１に入射した照明光は、カラーホイール３１によってＢ、Ｇ、Ｒの３色に時分割で色分離される。
【００３９】
カラーホイール３１で分離された光は、ロッドインテグレータ３２を透過する間に反射を繰り返すことによって均斉化される。ロッドインテグレータ３２から射出された光束は、リレーレンズ３３，３４によってミラー３５に中継され、この光束は、ミラー３５によって全反射プリズム２３へ向けて反射される。
【００４０】
ミラー３５で反射されて全反射プリズム２３へ入射する入射光は、入射角が臨界角よりも大きいため、反射面２３ａで全反射してＤＭＤ２４へ入射する。
【００４１】
ＤＭＤ２４は、投映する画像に基づいて、受光面にマトリックス状に配列された多数のミラー素子の角度を変化させて、受光した照明光の反射方向を変化させる。ＤＭＤ２４によって生成された画像光は、入射角が臨界角よりも小さいため、反射面２３ａを透過してレンズ鏡筒２５に入射する。
【００４２】
レンズ鏡筒２５に入射した画像光は、後投映レンズ１２、前投映レンズ１１を透過して、スクリーン１５に結像される。これにより、スクリーン１５上に画像が投映される。
【００４３】
ズームダイヤル１６が回動（操作）されると、ズーム調整機構２６は、回動式のズームダイヤル１６の回動角度（操作量）に応じてモータ７１を駆動して、伝達機構７２を介してカム筒４４を回転する。
【００４４】
カム筒４４を回転すると、各レンズユニット４１，４２の各ズームローラ５１が、回転しながら各カム孔６１，６２に沿って移動することで、各レンズユニット４１，４２が光軸方向に移動する。このとき、各ズームローラ５１が支持筒４３の直進ガイド孔４３ａに沿って移動するから、各レンズユニット４１，４２は、回転することなく光軸方向に移動する。各レンズユニット４１，４２の移動により、投映画像（スクリーン１５に投映させる画像）のズーム調整が行われる。本実施形態では、カム筒４４の時計方向への回転により、各レンズユニット４１，４２が前方に移動し、カム筒４４の反時計方向への回転により、各レンズユニット４１，４２が後方に移動する。
【００４５】
カム筒４４の時計方向への回転により、前レンズユニット４１の各ズームローラ５１が前カム孔６１を移動し、後レンズユニット４２の各ズームローラ５１が後カム孔６２を移動する。さらに、制限部材６８が制限孔６６を移動する。図９に示すように、各レンズユニット４１，４２の各ズームローラ５１が第１傾斜部６１ａ，６２ａを移動するときには、カム筒４４のカム突起４４ａが押圧板６５の挿入溝６５ａに挿入されており、押圧板６５は後方に移動されている。この押圧板６５の後方への移動により、コイルバネ６４は圧縮され、コイルバネ６４による押圧力が増加した状態となっている。
【００４６】
図１０に示すように、各レンズユニット４１の各ズームローラ５１が第１傾斜部６１ａ，６２ａから第２傾斜部６１ｂ，６２ｂに移動すると、カム突起４４ａは押圧板６５から離れる。カム突起４４ａが押圧板６５から離れると、コイルバネ６４が伸長して押圧板６５は前方に移動し、カム筒４４のカム突起４４ａが形成されていない後端に当接する。この押圧板６５の前方への移動により、コイルバネ６４による押圧力が減少する。なお、このときの押圧力は、カム突起４４ａが押圧板６５に当接しているときに比べて所定量小さければよく、０（ゼロ）でもよい。
【００４７】
図１１に示すように、各レンズユニット４１，４２の各ズームローラ５１が第２傾斜部６１ｂ，６２ｂを移動するときには、押圧板６５は前方に移動された状態となり、コイルバネ６４による押圧力は、各ズームローラ５１が第１傾斜部６１ａ，６２ａを移動するときよりも低い。すなわち、各ズームローラ５１が第２傾斜部６１ｂ，６２ｂを移動するときには、第１傾斜部６１ａ，６２ａを移動するときよりも、コイルバネ６４の押圧によりカム筒４４にかかる負荷が小さい。
【００４８】
第２傾斜部６１ｂ，６２ｂは、第１傾斜部６１ａ，６２ａよりも光軸方向に対する傾斜角度が小さいから、各ズームローラ５１が第２傾斜部６１ｂ，６２ｂを移動するときには、ズームローラ５１が各第１傾斜部６１ａ，６２ａを移動するときよりも、カム筒４４にかかる負荷が大きくなる。
【００４９】
本実施形態では、コイルバネ６４の押圧によりカム筒４４にかかる負荷を含み、各ズームローラ５１が第１傾斜部６１ａ，６２ａを移動するときにカム筒４４にかかる第１負荷と、コイルバネ６４の押圧によりカム筒４４にかかる負荷を含み、各ズームローラ５１が第２傾斜部６１ｂ，６２ｂを移動するときにカム筒４４にかかる第２負荷とがほぼ同じになる。これにより、カム筒４４を回転させるときにモータ７１にかかる負荷がほぼ一定となるから、モータ７１の駆動音が一定となる。
【００５０】
本実施形態では、上記第１負荷と第２負荷とがほぼ同じになるように、カム突起４４ａの突出長さは、第１傾斜部６１ａ，６２ａ及び第２傾斜部６１ｂ，６２ｂの傾斜角度に応じて決められる。詳しくは、第１傾斜部６１ａ，６２ａと第２傾斜部６１ｂ，６２ｂとの傾斜角度の差が大きくなるにつれて、カム突起４４ａの突出長さは長くなる。
【００５１】
カム筒４４が回転されたときには、制限部材６８が制限孔６６の両端部に当接することにより、カム筒４４の回転が規制される。なお、制限部材６８が制限孔６６の両端部に当接したとき、各レンズユニット４１，４２の各ズームローラ５１は、各カム孔６１，６２の両端部には当接しない。
【００５２】
また、図１２及び図１３に示すように、支持筒４３のフランジ部４３ｂにカム突起４３ｄを形成し、カム筒４４の後端にコイルバネ６４の一端を取り付け、コイルバネ６４の他端に押圧板６５を取り付けてもよい。この実施形態では、コイルバネ６４で支持筒４３を押圧することによりカム筒４４を押圧する。フランジ部４３ｂには、カム突起４３ｄに連続してカム突起４３ｄよりも突出長さが短い位置決め突起４３ｅが形成されている。図１２に示すように、各レンズユニット４１，４２の各ズームローラ５１が第１傾斜部６１ａ，６２ａを移動するときには、カム突起４３ｄは、挿入溝６５ａに挿入されて押圧板６５を前方に移動させる。この押圧板６５の前方への移動により、コイルバネ６４は圧縮され、コイルバネ６４による押圧力が増加する。図１３に示すように、各レンズユニット４１，４２の各ズームローラ５１が第１傾斜部６１ａ，６２ａから第２傾斜部６１ｂ，６２ｂに移動すると、カム突起４３ｄは押圧板６５から離れる。カム突起４３ｄが押圧板６５から離れると、コイルバネ６４は伸長して押圧板６５が後方に移動し、挿入溝６５ａには位置決め突起４３ｅが挿入される。この押圧板６５の後方への移動により、コイルバネ６４による押圧力が減少する。
【００５３】
なお、上記実施形態では、モータによりカム筒を回転するプロジェクタに本発明を実施しているが、操作者の手動によりカム筒を回転するプロジェクタにも本発明は実施可能である。この手動タイプのプロジェクタでは、カム筒を回転するときの操作者に掛かる動作負荷が常にほぼ一定となるから、操作性が向上する。
【００５４】
また、上記実施形態では、押圧板によりカム筒及び支持筒を押圧しているが、押圧板を設けずに、コイルバネにより直接カム筒及び支持筒を押圧してもよい。
【００５５】
さらに、上記実施形態では、コイルバネによりカム筒を押圧することで、カム筒に負荷を加えているが、カムフォロアが第１傾斜部を移動するときにカム突起に当接するゴムや凸部を設け、これらの接触抵抗によりカム筒に負荷を加えてもよい。
【００５６】
さらに、上記実施形態では、カム筒を光軸方向に押圧しているが、カム筒を径方向に押圧してもよい。この場合には、カム突起を径方向に突出するように形成し、カム筒と支持筒に設けられたカム筒支持部との接触抵抗により、カム筒にかかる負荷が変わる。
【００５７】
さらに、上記実施形態では、カム筒を支持筒の外側に配しているが、カム筒を支持筒の内側に配してもよい。
【００５８】
また、上記実施形態では、前投映レンズ及び後投映レンズの移動によりズーム調整を行うプロジェクタについて説明しているが、各投映レンズの移動によりフォーカス調整を行うプロジェクタにも、本発明を適用することができる。
【００５９】
さらに、上記実施形態では、ＤＭＤを用いたプロジェクタについて説明しているが、透過型の液晶パネルや反射型の液晶パネルを画像形成素子として用いてもよい。
【００６０】
また、上記実施形態では、プロジェクタについて説明しているが、デジタルカメラやフィルムカメラにも、本発明を適用することができる。
【符号の説明】
【００６１】
１０  プロジェクタ
１１  前投映レンズ
１２  後投映レンズ
２５  レンズ鏡筒
４３  支持筒
４３ｄ  カム突起
４４  カム筒
４４ａ  カム突起
５１  ズームローラ
６１  前カム孔
６１ａ  第１傾斜部
６１ｂ  第２傾斜部
６２  後カム孔
６２ａ  第１傾斜部
６２ｂ  第２傾斜部
６４  コイルバネ
６５  押圧板
【図１】
2012203197.tif 000003
【図２】
2012203197.tif 000004
【図３】
2012203197.tif 000005
【図４】
2012203197.tif 000006
【図５】
2012203197.tif 000007
【図６】
2012203197.tif 000008
【図７】
2012203197.tif 000009
【図８】
2012203197.tif 000010
【図９】
2012203197.tif 000011
【図１０】
2012203197.tif 000012
【図１１】
2012203197.tif 000013
【図１２】
2012203197.tif 000014
【図１３】
2012203197.tif 000015